(57)【要約】【課題】上下移動による緩衝効果を有し、選別速度が速くて、正確な直動型コレットを提供する。【解決手段】アーム１０は、所定に位置に穿孔１１を設け、端部に収納孔１２を設けている。ソケット２０は、アーム１０の収納孔１２内に配置されている。弾性デバイス３０は、所定に位置に四角孔３１を設け、アーム１０の穿孔１１に対応する位置に穴３２を設けている。弾性デバイス３０は、一方の端部がアーム１０の頂面になるように位置決めが行われている。ヘッドソケット７０は、ソケット２０内に配置され、頂面が弾性デバイス３０の自由端に圧迫されている。リング５０は、頂面にリング突起５１を有し、ヘッドソケット７０内に配置されている。コレット６０は、リング５０内に配置され、リング突起５１にしっかり固定されている。【選択図】図１
0003171360.tif 000002
【実用新案登録請求の範囲】
【請求項１】
所定に位置に穿孔を設け、端部に収納孔を設けているアームと、
前記アームの前記収納孔内に配置されているソケットと、
所定に位置に四角孔を設け、前記アームの前記穿孔に対応する位置に穴を設け、一方の端部が前記アームの頂面になるように位置決めが行われている弾性デバイスと、
前記ソケット内に配置され、頂面が前記弾性デバイスの自由端に圧迫されているヘッドソケットと、
頂面にリング突起を有し、前記ヘッドソケット内に配置されているリングと、
前記リング内に配置され、リング突起にしっかり固定されているヘッドと、を含むことを特徴とする直動型コレット。
【考案の詳細な説明】
【技術分野】
【０００１】
本考案は、直動型コレットに関し、移動による緩衝効果を有する直動型コレットに関する。
【背景技術】
【０００２】
従来のチップ選別機は、ピックアップアームにより選別を行っていた。しかし、所定の効果を達成できても、チップ選別時においてチップを破損させてしまうことがあり、チップの歩留率を低かった。従来のピックアップアームは、アームが長すぎ、チップ選別時において時間が掛かりすぎ、振動が起こりやすいことが、チップの歩留率をさらに低下させていた。
【０００３】
ピックアップアームがチップを破損するのを防ぐために、アームを制御するセンサーが取り付けられることもあったが、その主な目的は緩衝であった。この方法によるとコストが掛かりすぎるだけでなく、チップ選別精度が低かった。
【０００４】
以上のように、従来技術には以下の２つの短所があった。１、コストが高かった。２、チップ選別精度が低かった。これらの短所を解決するため、本考案は直動型コレットを案出した。
【先行技術文献】
【特許文献】
【０００５】
【特許文献１】特開平１１−７２４０７号公報
【考案の概要】
【考案が解決しようとする課題】
【０００６】
本考案の第１の目的は、上下移動による緩衝効果を有し、選別速度が速くて、正確な直動型コレットを提供することにある。
本考案の第２の目的は、移動時間が短く、振動しない直動型コレットを提供することにある。
【０００７】
上述の目的を達成するため、本考案は、直動型コレットを提供する。本考案の直動型コレットは、アーム１０、ソケット２０、弾性デバイス３０、リング５０、コレット６０およびコレットソケット７０含む。アーム１０は、所定に位置に穿孔１１を設け、端部に収納孔１２を設けている。ソケット２０は、アーム１０の収納孔１２内に配置されている。弾性デバイス３０は、所定に位置に四角孔３１を設け、アーム１０の穿孔１１に対応する位置に穴３２を設けている。弾性デバイス３０は、一方の端部がアーム１０の頂面になるように位置決めが行われている。コレットソケット７０は、ソケット２０内に配置され、頂面が弾性デバイス３０の自由端に圧迫されている。リング５０は、頂面にリング突起５１を有し、コレットソケット７０内に配置されている。コレット６０は、リング５０内に配置され、リング突起５１にしっかり固定されている。
【考案の効果】
【０００８】
本考案の直動型コレットは、移動時間が短く、振動を起こさないため、アームを制御するセンサーを装着することなく、緩衝効果を有し、チップを破損することなく、コストを削減することができる。また、上下移動による緩衝効果およびヘッドソケットの上方移動の限界効果により、ヘッドのチップ選別が効果的に行われるため、選別速度が速く、正確で、実用性に富んでいる。
【図面の簡単な説明】
【０００９】
【図１】本考案の一実施形態による直動型コレットを示す分解斜視図である。
【図２】本考案の一実施形態による直動型コレットを示す斜視図である。
【図３】本考案の一実施形態による直動型コレットを示す平面図である。
【図４】本考案の一実施形態による直動型コレットを示す断面図である。
【図５】図４上で丸に囲まれた部分を示す拡大図である。
【図６】図４上で丸に囲まれた部分の動作状態を示す拡大図である。
【考案を実施するための形態】
【００１０】
以下、本考案の実施形態を図面に基づいて説明する。
【００１１】
図１〜６を参照する。図１は、本考案の一実施形態による直動型コレットを示す分解斜視図である。図２は、本考案の一実施形態による直動型コレットを示す斜視図である。図３は、本考案の一実施形態による直動型コレットを示す平面図である。図４は、本考案の一実施形態による直動型コレットを示す断面図である。図５は、図４上で丸に囲まれた部分を示す拡大図である。図６は、図４上で丸に囲まれた部分の動作状態を示す拡大図である。図１〜６に示すように、本考案の直動型コレットは、アーム１０、ソケット２０、弾性デバイス３０、リング５０、コレット６０およびコレットソケット７０含む。
【００１２】
アーム１０は、所定に位置に穿孔１１を設け、端部に収納孔１２を設けている。ソケット２０は、アーム１０の収納孔１２内に配置されている。
【００１３】
弾性デバイス３０は、所定に位置に四角孔３１を設け、アーム１０の穿孔１１に対応する位置に穴３２を設けている。弾性デバイス３０は、一方の端部がアーム１０の頂面になるように位置決めが行われている。
【００１４】
コレットソケット７０は、ソケット２０内に配置され、頂面が弾性デバイス３０の自由端に圧迫されている。リング５０は、頂面にリング突起５１を有し、コレットソケット７０内に配置されている。コレット６０は、リング５０内に配置され、リング突起５１にしっかり固定されている。
【００１５】
本考案の直動型コレットは、固定部９０をさらに含む。固定部９０は、弾性調整塊９１および締付部９２からなる。弾性調整塊９１は、アーム１０の穿孔１１の底面に配置されている。締付部９２は、弾性デバイス３０の穴３２およびアーム１０の穿孔１１を貫通して弾性調整塊９１上に螺着している。これにより、弾性デバイス３０の自由端がコレットソケット７０の頂面を圧迫している。締付部９２は、ネジである。
【００１６】
本考案の直動型コレットは、動作時において、アーム１０内にソケット２０が配置されていることおよび弾性デバイス３０の弾性により、コレットソケット７０がソケット２０内で上下移動する（図５および６を参照）。上下移動による緩衝効果およびコレットソケット７０の上方移動の限界効果により、コレット６０のチップ選別が効果的に行われる。ＬＥＤチップ選別機として、選別速度が速く、正確で、実用性に富んでいる。
【００１７】
本考案の直動型コレットは、安定する時間が短い。つまり、弾性デバイス３０の弾力が下方に圧力を掛けるとコレットソケット７０が下方移動する。そのため、移動時間が短く、振動を起こさない。また、アームを制御するセンサーを装着せずに、緩衝効果を有し、チップが破損することないため、コストを削減することができ、実用性に富んでいる。
【００１８】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１９】
１０  アーム
１１  穿孔
１２  収納孔
２０  ソケット
３０  弾性デバイス
３１  四角孔
３２  穴
５０  リング
５１  リング突起
６０  コレット
７０  ヘッドソケット
９０  固定部
９１  弾性調整塊
９２  締付部
【図１】
0003171360.tif 000003
【図２】
0003171360.tif 000004
【図３】
0003171360.tif 000005
【図４】
0003171360.tif 000006
【図５】
0003171360.tif 000007
【図６】
0003171360.tif 000008